(57)【特許請求の範囲】
【請求項１】
対応するプラグを挿着することにより、オーディオ信号を伝送するオーディオジャックであって、
円筒形の当接部が突設された前端面、該前端面に対応する後端面及び該前記前端面と前記後端面とを接続する底面を含み、前記当接部とともに内部を貫通する挿入穴が設けられ、プラグが該挿入穴内に挿入可能とされ、前記底面が取り付けられる回路基板に当接され、該底面には該底面を貫通する収容溝が設けられ、該収容溝と前記挿入穴とが接続され、前記後端面には複数の収容溝が設けられている絶縁ハウジングと、
前記プラグと当接する２つの弾性端子とスイッチ端子とを含み、該弾性端子が前記絶縁ハウジングの後端面に開設された収容溝内に収容され、少なくとも一つのスイッチ端子が前記底面から上向きに前記絶縁ハウジングの底面上の収容溝に挿設され、かつ対応する弾性端子と当接し、前記プラグが挿着された場合に前記弾性端子がスイッチ端子から分離される複数のシート状端子と、を備え、
前記２つの弾性端子にそれぞれ湾曲形成された２つの弾性接触部が、互いに挿入方向に関して逆向きに取り付けられていることを特徴とするオーディオジャック。
【請求項２】
前記絶縁ハウジングの底面の収容溝は、絶縁ハウジングの当接部に近接した部位に設けられたことを特徴とする請求項１記載のオーディオジャック。
【請求項３】
前記弾性端子及びスイッチ端子は、いずれも接触部と、半田付け部と、接触部及び半田付け部を接続する主本体部と、を設けられており、
各弾性端子は、その中間の屈曲部を介して２本の脚部を有したヘアピン状のものであり、一方の脚部が前記挿入穴内に位置するよう他方の脚部が絶縁ハウジングに固定されており、前記プラグと接触する接触部が前記一方の脚部の自由端側に近い位置に形成されていることを特徴とする請求項１記載のオーディオジャック。
【請求項４】
前記絶縁ハウジングの底面の収容溝に収容されたスイッチ端子の主本体部は、該収容溝の大きさに合う大きさであることを特徴とする請求項３記載のオーディオジャック。
【請求項５】
前記スイッチ端子の主本体部は、他のスイッチ端子の主本体部より小さく形成されたことを特徴とする請求項４記載のオーディオジャック。
【請求項６】
前記絶縁ハウジングの底面は、複数の柱体部が突出され、回路基板の対応する穴内に挿入可能であることを特徴とする請求項１記載のオーディオジャック。
【発明の詳細な説明】
【０００１】
【発明の属する技術分野】
本発明は、一種のオーディオジャックに関し、特にオーディオ信号の伝送に用いられ、かつ高い構造強度を備えたジャックに関するものである。
【０００２】
【従来の技術】
そもそも、従来のオーディオジャックに関する構造として、図１に示すように、該オーディオジャック９は、絶縁ハウジング９０、弾性端子９１、９２及びスイッチ端子９３、９４を含んでいる（例えば、特許文献１参照）。前記絶縁ハウジング９０は、当接部が突設された前端面９０ａと、該前端面に対応する後端面９０ｂを有し、かつ後端面９０ｂから前方向へ延伸された収容溝９０１，９０２が設置され、該収容溝９０１，９０２に対応してスイッチ端子９３、９４が収容されている。スイッチ端子９３、９４は絶縁ハウジング９０に収容された弾性端子９１、９２に当接し、相手プラグが挿入された後、弾性端子９１、９２がプラグに電気接続すると同時に、スイッチ端子９３、９４を弾性端子９１、９２から分離させ、電気回路が切り換わり弾性端子９１、９２とプラグとの間は導電路として形成される。
【０００３】
しかし、弾性端子９１、９２は、それぞれプラグの異なる部位に当接し、即ち弾性端子９１、９２と当接するプラグの当接部が、ジャック９の前方及び後方の異なる部位に位置し、対応してスイッチ端子９３、９４が弾性端子９１、９２と当接する接触部もジャック９の異なる部位に位置するため、後端面９０ｂから絶縁ハウジング９０のスイッチ端子９４に挿入される長さが比較的長く、材料の利用率も低くなっている。さらに該ジャックは、絶縁ハウジング９０上に、スイッチ端子９４を収容するための比較的長い収容溝９０２が開設されなければならないので、絶縁ハウジング９０の構造強度が低くなり、ジャック９の寿命まで影響することになることである。
【０００４】
【特許文献１】
米国特許第６，１５５，８５４号明細書
【０００５】
【発明が解決しようとする課題】
本発明は、主にスイッチ端子の寸法がより小さくかつハウジングの強度が高い一種のオーディオジャックを提供することを目的とする。
【０００６】
【課題を解決するための手段】
前記課題に基づいて、本発明のオーディオジャックは、絶縁ハウジングと、絶縁ハウジングに収容された複数の弾性端子と、スイッチ端子と、を含んでいる。前記絶縁ハウジングは、円筒形の当接部が設けられた前端面と、該前端面に対応する後端面と、前端面及び後端面を接続する底面とを備え、該底面は、取り付けられる回路基板上に当接可能であって、かつ該底面の前端面に近接した部位に収容溝が開設され、少なくとも一つのスイッチ端子が該収容溝を貫通し、それに対応する弾性端子に当接する。前記当接部は、絶縁ハウジングを貫通した挿入穴を設けていることで、プラグを挿入することができ、またプラグに当接した場合に、弾性端子がスイッチ端子から離れ、電気回路が切り換わることにより弾性端子とプラグとの間が導電路として形成される。
【０００７】
本発明におけるオーディオジャックのスイッチ端子は、絶縁ハウジングの底面の前端面に近接した位置から絶縁ハウジング中に取り付けられたもので、その寸法が小さく、端子に利用された材料も明らかに少なくなり、かつ絶縁ハウジングには、端子を収容するための狭い収容溝のみを設けてなるもので、本体の構造強度に影響しないですみ、またジャックの使用寿命も保証され得るものである。
【０００８】
【発明の実施の形態】
図３に示すように、本発明に係るオーディオジャックは、絶縁ハウジング１と、弾性端子２、３と、スイッチ端子４、５と、接地端子６等の部材と、を備える。
【０００９】
図２及び図３を参照すると、前記絶縁ハウジング１は、縦長に形成され、前端面１０と、該前端面１０に対応する後端面１１と、前端面１０と後端面１１を接続する垂直側壁１２、底面１３等を含み、該前端面１０上に外方向へ円筒形当接部１００を突設し、該当接部１００上に絶縁ハウジング１の内部を貫通する挿入穴１０１が設置され、図４を併せて参照すると、後端面１１に近接した挿入穴１０１の両側に内方向へ２つのグルーブ１０２、１０３が対称的に開設され、前記グルーブ１０２の両側には、該グルーブ１２０に接続する保持溝１０２ａ、１０２ｂが設置され、かつ保持溝１０２ｂは底面１３を貫通している。グルーブ１０３の両側には保持溝１０３ａ、１０３ｂが設けられ、かつ保持溝１０３ｂは底面１３を貫通している。グルーブ１０３が挿入穴１０１に近接した部位には収容溝１０５が設置され、該収容溝１０５の両側には保持溝１０５ａ、１０５ｂが設置され、該保持溝１０５ｂが底面１３を貫通している。
【００１０】
さらに図２ないし図４に示すように、底面１３の概略中部位置には２つの柱体部１３０が突設され、該柱体部は対応する電気回路基板の孔内に挿入することができる（図示せず）。底面１３の当接部１００に近接した部位には収容溝１０４が設けられ、該収容溝１０４は、絶縁ハウジング１の底面１３を貫通し、かつ挿入穴１０１に接続している。絶縁ハウジング１の側壁１２の前端面１０に近接した部位には収容溝１２０が開設され、該収容溝１２０は絶縁ハウジング１の前端面１０、後端面１１の水平方向に設置され、かつ該収容溝１２０が絶縁ハウジング１の側壁１２を貫通して挿入穴１０１に接続され、側壁１２における収容溝１２０の側方には保持溝１２１が設置され、かつ保持溝１２１の中央部はスロット１２２によって収容溝１２０と連通し、側壁１２における保持溝１２１の収容溝１２０とは反対の側は、グルーブ１２３が凹設され、該グルーブ１２３は細長く底面１３まで延伸されている。
【００１１】
図３及び図４に示すように、弾性端子２、３は、概略「コ」字状に形成された弾性接触部２０、３０と、「Ｌ」字状半田付け部２１、３１と、接触部２０、３０及び半田付け部２１、３１をそれぞれ接続する主本体部２２、３２と、を含む。弾性端子２、３は、それぞれ前記絶縁ハウジング１の挿入穴１０１の両側のグルーブ１０２、１０３内に収容され、弾性端子２の主本体部２２の側縁部は、グルーブ１０２の両側の保持グルーブ１０２ａ、１０２ｂに係合され、半田付け部２１が保持溝１０２ｂと底面との接続位置から突出し、そして弾性端子３の主体部３２の両側の側縁部は、保持溝１０３ａ、１０３ｂに係合し、半田付け部３１が保持溝１０３ｂと底面１３との接続位置から突出され、半田付け部２１、３１は、それぞれ対応した回路基板に取り付け可能になる。
【００１２】
前記スイッチ端子４は、概略逆「Ｌ」字状に形成され、接触部４０、主本体部４２及び該主本体部４２の側縁部から曲げられて垂直に延伸した半田付け部４１を含み、前記主本体部４２の両側の絶縁部には複数の曲折片４２０が設置されている。前記スイッチ端子４は、絶縁ハウジング１の底面に開設した収容溝１０４内に収容され、その接触部４０が該収容溝１０４を貫通した後、挿入穴１０１から突出するとともに、弾性端子２の接触部２０に当接されることになる。
【００１３】
もう一方のスイッチ端子５は、主本体部５２を設け、該主本体部５２の一側部が折り曲げられて垂直に下方向に半田付け部５１が延伸され、主本体部５２の概略中央位置に開設されたグルーブの末端部は、接触部５０である。スイッチ端子５が収容溝１０５に収容された場合、その主本体部５２の両側部は収容溝１０５の両側の保持溝１０５ａ、１０５ｂと係合し、半田付け部５１が保持溝１０５ｂの底面１３に対する貫通部位から延伸されかつ対応する回路基板に取り付けられ、接触部５０はグルーブ１０３において弾性端子３の接触部３０に当接する。
【００１４】
接地端子６が、金属片から打抜き成形されたもので、図３及び図４を示すように、該接地端子６は、弾性当接部６０、半田付け部６１及び主本体部６２を含み、主本体部６２及び当接部６０を接続した部位は、折り曲げられて構成されたもので、接地端子６は、絶縁ハウジング１に取り付けた時、該接地端子６の当接部６０が絶縁ハウジング１の側壁１２の収容溝１２０に収容され、半田付け部６１はグルーブ１２３に当接し、その末端部は対応した回路基板に取り付けることができる。
【００１５】
図５を参照すると、実施する場合に、ジャックの各端子の半田付け部がそれぞれ対応する回路基板に取り付けられる。オーディオ相手プラグ８を挿入穴１０１内に挿入すると、第１部分８０と弾性端子３の接触部３０とが当接すると同時に、接触部３０の末端部とスイッチ端子５の接触部５０とが分離する。同じように、プラグ８の第２部分８１と弾性端子２の接触部２０とが当接すると同時に、接触部２０を下方向へ押圧してスイッチ端子４の接触部４０との電気接続が切断される。これにより、プラグ８の第３部分８２と接地端子６の当接部６０との間が接地通路として形成される。スイッチ端子４０が絶縁ハウジング１の底面１３の収容溝１０４を介して絶縁ハウジングに取り付けられ、また収容溝１０４が絶縁ハウジング１の前端面１０に近接しているため、該スイッチ端子４０の寸法が小さくなるとともに、収容溝１０４の長さも相対的に減少するので、端子に必要な材料を節約できる上に、絶縁ハウジングの構造強度もそれに応じて向上され得るものである。
【００１６】
前記実施の形態は単なる本願の具体的な実施の形態にすぎず、本発明の請求範囲を限定するものではないので、本発明に基づいて細部の修正或いは変更など、いずれも本発明の特許請求の範囲に属するものとする。
【図面の簡単な説明】
【図１】  従来のオーディオジャックの見取り図である。
【図２】  本発明に係るオーディオジャックの斜視組立図である。
【図３】  本発明に係るオーディオジャックの斜視分解図である。
【図４】  本発明に係るオーディオジャックの断面図である。
【図５】  本発明に係るオーディオジャックはそれに対応したプラグと当接した状態の見取り図である。
【符号の説明】
１  絶縁ハウジング
２、３  弾性端子
４、５  スイッチ端子
６  接地端子
８  プラグ
１０  前端面
１１  後端面
１２  側壁
１３  底面
２０、３０、４０、５０  接触部
２１、３１、４１、５１  半田付け部
２２、３２、４２、５２、６２  主本体部
６０  当接部
６１  半田付け部
８０  第１部分
８１  第２部分
８２  第３部分
１００  当接部
１０１  挿入穴
１０２、１０３、１２３  グルーブ
１０２ａ、１０２ｂ、１０３ａ、１０３ｂ、１０５ａ、１０５ｂ、１２１  保持溝
１０４、１０５、１２０  収容溝
１２２  スロット
１３０  柱体部
４２０  曲折片
【図１】
0004005495.tif 000002
【図２】
0004005495.tif 000003
【図３】
0004005495.tif 000004
【図４】
0004005495.tif 000005
【図５】
0004005495.tif 000006